(57)【要約】【課題】    インフルエンザ脳症とくに小児インフルエンザ脳症の有効な検査法、マーカ、診断薬、診断キットを提供する。【解決手段】    ヒト髄液、とくに小児髄液中に含まれる１４−３−３タンパク質に特異的に結合する抗体、とくに一次抗体としてウサギ由来の抗体、二次抗体としてヤギ由来の抗体をマーカとして使用する。【選択図】    図１
2005292108.tif 000002
【特許請求の範囲】
【請求項１】
ヒト髄液中に含まれる１４−３−３タンパク質を指標としたインフルエンザ脳症の検査法。
【請求項２】
１４−３−３タンパク質のアイソフォームにおいて、β、θ、γ、ζ、εの順に強く検出された場合に、インフルエンザ脳症であると判断する請求項１記載の検査方法。
【請求項３】
検査対象が、小児インフルエンザ脳症であり、ヒト髄液が小児髄液である請求項１または２記載の検査方法。
【請求項４】
インフルエンザ脳症の診断に用いるタンパク質マーカであって、ヒト髄液中に発現する１４−３−３タンパク質からなるマーカ。
【請求項５】
１４−３−３−タンパク質が、β、θ、γ、ζおよびεのアイソフォームである請求項４記載のマーカ。
【請求項６】
診断対象が、小児インフルエンザ脳症であり、ヒト髄液が小児髄液である請求項４または５記載のマーカ。
【請求項７】
インフルエンザ脳症の診断薬であって、ヒト髄液中に発現する１４−３−３タンパク質に特異的に結合する抗体を含む診断薬。
【請求項８】
１４−３−３タンパク質におけるβ、θ、γ、ζおよびεのアイソフォームのそれぞれに特異的に結合する抗体を含む診断薬。
【請求項９】
１４−３−３タンパク質が、小児髄液中に発現するタンパク質である請求項７または８記載の診断薬。
【請求項１０】
抗体がモノクローナル抗体である請求項７から９のいずれかに記載の診断薬。
【請求項１１】
インフルエンザ脳症の診断キットであって、ヒト髄液中に発現する１４−３−３タンパク質に特異的に結合する一次抗体と、この一次抗体に特異的に結合し、かつ識別標識を有する二次抗体とを含み、前記識別標識の検出により前記１４−３−３タンパク質を検出する診断キット。
【請求項１２】
一次抗体が、１４−３−３タンパク質におけるβ、θ、γ、ζおよびεのアイソフォームのそれぞれに特異的に結合する抗体を含む請求項１１記載の診断キット。
【請求項１３】
１４−３−３タンパク質が、小児髄液中に発現するタンパク質である請求項１１または１２記載の診断キット。
【請求項１４】
一次抗体が、ウサギ由来の抗体であり、前記二次抗体がヤギ由来の抗体である請求項１１から１３のいずれかに記載の診断キット。
【請求項１５】
一次抗体および二次抗体が、それぞれモノクローナル抗体である請求項１１から１４のいずれかに記載の診断キット。
【請求項１６】
識別標識が、酵素標識若しくは蛍光標識である請求項１１から１５のいずれかに記載の診断キット。
【発明の詳細な説明】
【技術分野】
【０００１】  本発明は、インフルエンザ脳症の検査法、及び、ヒト髄液中に発現する１４−３−３タンパク質からなるマーカ、診断薬、診断キット関する。
【背景技術】
【０００２】  ヒト髄液中にはアルブミンをはじめとして様々なタンパクが含有されている。髄液は脳表面および脳内部を循環することから、その成分はヒトの中枢神経疾患の病態を鋭敏に反映することが知られている。すなわち、脳出血では髄液中に赤血球が、髄膜炎や脳炎では白血球が、また多発性硬化症では免疫グロブリンが増加する。【０００３】  １４−３−３タンパク質は種を超えて高度に保存された２量体タンパク質であり、細胞の増殖分化、恒常性の維持、抗アポトーシス作用などを担っている。人体組織細胞中に広く存在するが、中でも脳神経細胞には細胞のタンパク重量の１％を占める程、豊富に含まれていることが知られている。【０００４】  １４−３−３タンパク質は正常髄液では検出されないが、異常プリオンタンパクによって発症するＣｒｅｕｚｆｅｌｄｔ−Ｊａｋｏｂ（クロイツフェルトヤコブ）病（以下、ＣＪＤ）の髄液において高率に検出されることから診断的価値が高いとされ、ＷＨＯ（世界保健機関）が定めるＣＪＤの診断基準にも１４−３−３タンパク質の検出が含まれるようになった。【０００５】  髄液中１４−３−３タンパク質は、ＣＪＤ以外にも脳腫瘍、脳出血、脳梗塞、血管性痴呆、髄膜炎、脊髄炎でも検出されることが報告されており、脳組織崩壊を反映する可能性が示唆されている。これらの報告はすべて成人領域であって、小児領域（おもに１８歳以下）での集約された報告は現在までない。【０００６】  １４−３−３タンパク質はそのアミノ酸配列の差異から７つのアイソフォーム、β、γ、ζ、θ、ε、σ、ηが知られている。それぞれのアイソフォームはアポトーシスシグナル、増殖分化、細胞内輸送、細胞周期調節などの異なる機能を持つとされるが詳細は不明である。【０００７】  １４−３−３タンパク質の７つのアイソフォームの脳内における分布は、マウスの研究からβ、ζ、γ、ηは神経細胞体と神経核に、εは中枢神経灰白質に、ηは小脳核、視床下部核、神経細胞体、神経核に含まれることが報告されている。【０００８】  髄液中に検出される１４−３−３タンパク質のアイソフォームは疾患によって特異性があることが知られている。例えばＣＪＤの髄液ではアイソフォームのうちβ、γ、η、εが検出され、またアルツハイマー病の髄液では常にηが検出されることが報告されているが、そのメカニズムについては不明であり、これらアイソフォームのパターン分析が臨床診断に結びつく可能性も示唆されている。【０００９】  インフルエンザ脳症は、インフルエンザウイルス感染に伴っておきる急性脳症であって、インフルエンザ脳炎を含み、小児に頻発し予後不良の疾患である。脳組織および髄液中にウイルスゲノムがほとんど認められず、また治療法も確立されていないことから、小児難病の一つとされてきた。【００１０】  小児神経疾患には、難治性神経疾患が数多くあるが、中でもインフルエンザ脳症はインフルエンザ感染に伴い小児にけいれんや意識障害が生じ、急性増悪して死の転帰を迎える予後不良疾患である。インフルエンザ感染時には高熱を来たすため、けいれん意識障害の初期には、良性である熱性けいれんか、あるいは予後不良のインフルエンザ脳症か臨床的に区別することが困難である。この初期の段階で明らかにインフルエンザ脳症であることを診断できれば、きわめて早期から集中治療を行い臨床的予後が改善できる可能性が考えられる。しかしながら現在まで初期にインフルエンザ脳症であることを診断できる方法は存在せず、早期診断のためのマーカーの開発が期待されている。【００１１】  また急性期の脳障害の指標となる髄液タンパクは、ＮＳＥ（Ｎｅｕｒｏｎ  Ｓｐｅｃｉｆｉｃ  Ｅｎｏｌａｓｅ：神経特異性エノラーゼ）、ＭＢＰ（Ｍｙｅｌｉｎ  Ｂａｓｉｃ  Ｐｒｏｔｅｉｎ）が知られているが、必ずしも病態を鋭敏に反映するとは言えず、適切な病態把握および予後判定のための信頼性の高い髄液タンパクの確立が急務とされている。
【特許文献１】  ＰＣＴ国際公開番号：ＷＯ０１／０３５０９３
【非特許文献１】  Ｂｅｒｇ  Ｄ，  Ｈｏｌｚｍａｎ  Ｃ，  Ｒｉｅｓｓ  Ｏ．  １４−３−３  ｐｒｏｔｅｉｎｓｉｎ  ｔｈｅ  ｎｅｒｖｏｕｓ  ｓｙｓｔｅｍ．  Ｎａｔ  Ｒｅｖ  Ｎｅｕｒｏｓｃｉ．  ２００３  Ｓｅｐ；４（９）：７５２−７６２．
【非特許文献２】  Ｍａｓｔｅｒｓ  ＳＣ，  Ｓｕｂｒａｍａｎｉａｎ  ＲＲ，  Ｔｒｕｏｎｇ  Ａ，  ＹａｎｇＨ，Ｆｕｊｉｉ  Ｋ，  Ｚｈａｎｇ  Ｈ，  Ｆｕ  Ｈ．  Ｓｕｒｖｉｖａｌ−ｐｒｏｍｏｔｉｎｇ  ｆｕｎｃｔｉｏｎｓ  ｏｆ  １４−３−３  ｐｒｏｔｅｉｎｓ．  Ｂｉｏｃｈｅｍ  Ｓｏｃ  Ｔｒａｎｓ．  ２００２  Ａｕｇ；３０（４）３６０−３６５．
【非特許文献３】  Ｂａｘｔｅｒ  ＨＣ，  Ｌｉｕ  ＷＧ，  Ｆｏｒｓｔｅｒ  ＪＬ，Ａｉｔｋｅｎ  Ａ，  Ｆｒａｓｅｒ  ＪＲ．  Ｉｍｍｕｎｏｌｏｃａｌｉｓａｔｉｏｎ  ｏｆ  １４−３−３  ｉｓｏｆｏｒｍｓ  ｉｎ  ｎｏｒｍａｌ  ａｎｄ  ｓｃｒａｐｉｅ−ｉｎｆｅｃｔｅｄ  ｍｕｒｉｎｅ  ｂｒａｉｎ．  Ｎｅｕｒｏｓｃｉｅｎｃｅ．２００２；１０９（１）：５−１４．
【発明の開示】
【発明が解決しようとする課題】
【００１２】  本発明は、こうした事情に鑑みて、とくに小児神経疾患の早期診断のための検査法、マーカ、診断薬、診断キットを開発することを目的とするものである。
【課題を解決するための手段】
【００１３】  本発明は、発明者のヒト中枢神経疾患における髄液解析に関しての研究の中で、１４−３−３タンパク質の髄液中での検出が疾患診断のみならず病態解析に有用であることを解明した結果に基づくものであり、（１）ヒト髄液中に含まれる１４−３−３タンパク質を指標としたインフルエンザ脳症の検査法、（２）１４−３−３タンパク質のアイソフォームにおいて、β、θ、γ、ζ、εの順に強く検出された場合に、インフルエンザ脳症であると判断する前記記載の検査方法、（３）検査対象が、小児インフルエンザ脳症であり、ヒト髄液が小児髄液である前記記載検査方法、（４）インフルエンザ脳症の診断に用いるタンパク質マーカであって、ヒト髄液中に発現する１４−３−３タンパク質からなるマーカ、（５）１４−３−３−タンパク質が、β、θ、γ、ζおよびεのアイソフォームである前記記載のマーカ、（６）診断対象が、小児インフルエンザ脳症であり、ヒト髄液が小児髄液である前記記載のマーカ、（７）インフルエンザ脳症の診断薬であって、ヒト髄液中に発現する１４−３−３タンパク質に特異的に結合する抗体を含む診断薬、（８）前記抗体が、１４−３−３タンパク質におけるβ、θ、γ、ζおよびεのアイソフォームのそれぞれに特異的に結合する抗体を含む診断薬、（９）１４−３−３タンパク質が、小児髄液中に発現するタンパク質である前記記載の診断薬、（１０）前記抗体がモノクローナル抗体である前記記載の診断薬、（１１）インフルエンザ脳症の診断キットであって、ヒト髄液中に発現する１４−３−３タンパク質に特異的に結合する一次抗体と、この一次抗体に特異的に結合し、かつ識別標識を有する二次抗体とを含み、前記識別標識の検出により前記１４−３−３タンパク質を検出する診断キット、（１２）前記一次抗体が、１４−３−３タンパク質におけるβ、θ、γ、ζおよびεのアイソフォームのそれぞれに特異的に結合する抗体を含む前記記載の診断キット、（１３）１４−３−３タンパク質が、小児髄液中に発現するタンパク質である前記記載の診断キット、（１４）前記一次抗体が、ウサギ由来の抗体であり、前記二次抗体がヤギ由来の抗体である前記記載の診断キット、（１５）前記一次抗体および二次抗体が、それぞれモノクローナル抗体である前記記載の診断キット、（１６）前記識別標識が、酵素標識若しくは蛍光標識である前記記載の診断キット、に関する。
【発明の効果】
【００１４】  本発明によると、インフルエンザ感染症初期に伴うけいれん、意識障害の症状の中から、インフルエンザ脳症を高率に診断することができ、集中治療に結びつけることが可能である。インフルエンザ脳症は死亡率も高く、本発明が臨床現場における同疾患を早期に鑑別することにより、救命率の向上および神経学的予後の改善に結びつくことが予想される。また１４−３−３アイソフォームを分析することにより、疾患の診断ならびに脳障害部位の推定が可能になる。
【発明を実施するための最良の形態】
【００１５】  以下、この発明の実施形態を具体的に説明する。【００１６】  本発明において、検査対象またはマーカとなるのは、ヒト髄液中に含まれる１４−３−３タンパク質である。このタンパク質は、７つのアイソフォームを持つことが知られているが、インフルエンザ脳症においてヒト髄液中に発現するは、β、θ、γ、ζ、εであり、かつこの順に強く検出される。したがって、このアイソフォームの発現パターンの検査により、より正確にインフルエンザ脳症であるか否かを判断できる。さらに、アイソフォームの発現パターン分析により、脳のどの部分に障害が生じているかを予測することができ、この結果、脳症に対する適切な処置をとることができる。【００１７】  １４−３−３タンパク質の７つのアイソフォームのアミノ酸配列はすでに同定されておりその相違を示す（図５）。その中でもセリン、スレオニン残基はリン酸化を受ける部位であり、アイソフォーム間で相同性が高く、またリン酸化を受けることにより１４−３−３タンパク質自身の機能変化が予想されるため、同部位を特に太線で強調した。【００１８】  前記１４−３−３タンパク質の検出方法は、特に制限されないが、抗体を用いた検出方法が好ましい。前記抗体は、特に制限されないが、例えば、ウサギ、ヤギ、マウス、ラット、ブタ、ヒツジ、イヌなどの各種の動物由来のものが使用できる。また、抗体の作製は、１４−３−３タンパク質を用い、一般の方法で、前記動物を免疫することにより実施できる。前記抗体としては、モノクローナル抗体が好ましい。【００１９】  前記抗体を用いた検出方法は、特に制限されないが、検出精度と操作方法の簡便性からＥＬＩＳＡ法が好ましい。ＥＬＩＳＡ法は、検出対象タンパク質（本発明では、１４−３−３タンパク質、若しくはそのβ、θ、γ、ζ、εのアイソフォーム）に特異的に結合する一次抗体と、この一次抗体に特異的に結合し、かつ酵素標識（ラベル）を有する二次抗体を使用する方法である。前記識別標識としては、後述のように酵素標識の他に、蛍光標識やＡＢＣ法を使用してもよい。ＥＬＩＳＡ法は、特に制限されず、後述の実施例のように、髄液をＳＤＳ−ＰＡＧＥで電気泳動したあと、ウエスタンブロッティングによりタンパク質をニトロセルロース膜に転写し、これに一次抗体および二次抗体を添加し、前記二次抗体の識別標識を検出することにより実施することができる。この他に、ポリスチレンビーズなどの固相に一次抗体を結合させ、これに髄液を供給して１４−３−３タンパク質を結合させ、この状態で、Ｂ／Ｆ分離を行い、そして、１４−３−３タンパク質に特異的に結合し、かつ標識を有する二次抗体を添加して前記タンパク質に結合させ、前記標識を検出するサンドイッチ法であってもよい。【００２０】  酵素標識の具体例として、Ｈｏａｒｓｅ  Ｒａｄｄｉｓｈ  Ｐｅｒｏｘｉｄａｓｅ（ＨＲＰ）を用いる方法がある。これにより蛍光発色させることが可能となり、１４−３−３タンパク質を可視化同定することが可能である。【００２１】  なお、本発明における「β、θ、γ、ζおよびεのアイソフォームのそれぞれに特異的に結合する抗体」とは、それぞれのアイソフォームの特異的アミノ酸配列を認識して結合する免疫グロブリン抗体を、
同じく本発明における「モノクロナール抗体」とは、単一免疫Ｂ細胞より分泌される単一の免疫グロブリンからなる抗体群を、
同じく本発明における「ウサギ由来の抗体」とは、ウサギに１４−３−３タンパク質（アイソフォーム）を免疫接種することにより血清中から回収される免疫グロブリン抗体を、
同じく本発明における「ヤギ由来の抗体」とは、ヤギに１４−３−３タンパク質（アイソフォーム）を免疫接種することにより血清中から回収される免疫グロブリン抗体を、
同じく本発明における「酵素標識」とは、二次抗体の標識にＨＲＰ（Ｈｏｒｓｅｒａｄｉｓｈ  ｐｅｒｏｘｉｄａｓｅ，西洋わさび過酸化酵素）やＡＰ（ａｌｋａｌｉｎｅ  ｐｈｏａｐｈｔａｓｅ、アルカリフォスファターゼ）などの酵素を用いて、酵素反応の結果生じた沈殿物の色素を検出する方法を、
同じく本発明における「蛍光標識」とは、二次抗体の標識にＦＩＴＣ（ｆｌｕｏｒｅｓｃｅｉｎ  ｉｓｏｔｈｉｏｃｙａｎａｔｅ：緑色蛍光を発する）やローダミン（ｒｈｏｄａｍｉｎｅ：赤色蛍光を発する）などを用いて、それぞれに対応する波長の励起光を当てて蛍光を発検出する方法を、
同じく本発明における「ＡＢＣ法」とは、二次抗体の標識にビオチン（ｂｉｏｔｉｎ）を用いるが、このビオチンにアビジンと酵素の複合体を結合させることで、抗体１分子あたりに結合する酵素の量が増し、高感度に検出できる方法を、
いう。
【実施例】
【００２２】  ヒト髄液中の１４−３−３タンパクを検出するために、まず採取された髄液を遠心分離し（３０００ｇ、１０分間）、髄液中に含まれる細胞成分を除去した。上清を採取しＭｉｃｒｏｃｏｎ  ＹＭ−１０（Ｍｉｌｌｉｐｏｒｅ社製、ＵＳＡ）を用いて遠心分離（１３０００ｇ）を行うことにより髄液を１０倍に濃縮させた。濃縮した髄液はＳＤＳサンプルバッファーを加えて９５度で５分間熱いた。その後髄液タンパク３０μｇ量を１２．５％ＳＤＳ−ＰＡＧＥで電気泳動し、ウエスタンブロッティング（１５Ｖ、１２０分）を行うことによりニトロセルロース膜に髄液タンパクを転写した。転写後５％ミルクＴＢＳ−Ｔ液に浸して、常温で１５分間振盪しニトロセルロース膜上のタンパクを固定した。１次抗体としてウサギ抗１４−３−３β抗体（ｓｃ−６２７，Ｓａｎｔａ  Ｃｒｕｚ  Ｂｉｏｔｅｃｈｎｏｌｏｇｙ社，ＵＳＡ）を１：１００濃度で４℃で一晩反応させ、さらに２次抗体としてＨＲＰ標識ヤギ抗ウサギＩｇＧ抗体（ｓｃ−２００４、Ｓａｎｔａ  Ｃｒｕｚ  Ｂｉｏｔｅｃｈｎｏｌｏｇｙ社，ＵＳＡ）を１：２５００濃度で常温にて１時間反応させた。１４−３−３タンパク質はＥＣＬキット（Ａｍｅｒｓｈａｍ  Ｂｉｏｓｃｉｅｎｃｅ社，ＵＳＡ）を用いてバンドとして可視化した。また、１４−３−３タンパク質が検出された場合には、そのアイソフォームを検出するためそれぞれの１４−３−３タンパク質のアイソフォーム特異抗体、ａｎｔｉ−β  ａｎｔｉｂｏｄｉｅｓ（ｓｃ−６２８，Ｓａｎｔａ  Ｃｒｕｚ  Ｂｉｏｔｅｃｈｎｏｌｏｇｙ，ＵＳＡ），ａｎｔｉ−γ  ａｎｔｉｂｏｄｉｅｓ（ｓｃ−７３１，Ｓａｎｔａ  Ｃｒｕｚ  Ｂｉｏｔｅｃｈｎｏｌｏｇｙ，ＵＳＡ），ａｎｔｉ−ζ  ａｎｔｉｂｏｄｉｅｓ（ｓｃ−１０１９，Ｓａｎｔａ  Ｃｒｕｚ  Ｂｉｏｔｅｃｈｎｏｌｏｇｙ，ＵＳＡ），ａｎｔｉ−ε  ａｎｔｉｂｏｄｉｅｓ（ｓｃ−１０２０，Ｓａｎｔａ  Ｃｒｕｚ  Ｂｉｏｔｅｃｈｎｏｌｏｇｙ，ＵＳＡ），ａｎｔｉ−η  ａｎｔｉｂｏｄｉｅｓ（ｓｃ−１７２８６，Ｓａｎｔａ  Ｃｒｕｚ  Ｂｉｏｔｅｃｈｎｏｌｏｇｙ，ＵＳＡ），ａｎｔｉ−θ  ａｎｔｉｂｏｄｉｅｓ（ｓｃ−７３２，Ｓａｎｔａ  Ｃｒｕｚ  Ｂｉｏｔｅｃｈｎｏｌｏｇｙ，ＵＳＡ），ａｎｄ  ａｎｔｉ−σ  ａｎｔｉｂｏｄｉｅｓ（ｓｃ−７６８１，Ｓａｎｔａ  Ｃｒｕｚ  Ｂｉｏｔｅｃｈｎｏｌｏｇｙ，ＵＳＡ））、ないし、Ａｎｔｉ−Ｈｕｍａｎ  １４−３−３  Ｐｒｏｔｅｉｎ  Ｒａｂｂｉｔ  ＩｇＧ  Ａｆｆｉｎｉｔｙ  Ｐｕｒｉｆｙ（１８６４９，ＩＢＬ，Ｊａｐａｎ），Ａｎｔｉ−Ｈｕｍａｎ  １４−３−３  β  Ｐｒｏｔｅｉｎ  Ｒａｂｂｉｔ  ＩｇＧ  Ａｆｆｉｎｉｔｙ  Ｐｕｒｉｆｙ（１８６４１，ＩＢＬ，Ｊａｐａｎ），Ａｎｔｉ−Ｈｕｍａｎ  １４−３−３  γ  Ｐｒｏｔｅｉｎ（６３Ａ１）Ｍｏｕｓｅ  ＩｇＧ  ＭｏＡｂ（１００３７，ＩＢＬ，Ｊａｐａｎ），Ａｎｔｉ−Ｈｕｍａｎ  １４−３−３  γ  Ｐｒｏｔｅｉｎ  Ｒａｂｂｉｔ  ＩｇＧ  Ａｆｆｉｎｉｔｙ  Ｐｕｒｉｆｙ（１８６４７，ＩＢＬ，Ｊａｐａｎ），Ａｎｔｉ−Ｈｕｍａｎ  １４−３−３  ε  Ｐｒｏｔｅｉｎ  Ｒａｂｂｉｔ  ＩｇＧ  Ａｆｆｉｎｉｔｙ  Ｐｕｒｉｆｙ（１８６４３，ＩＢＬ，Ｊａｐａｎ），Ａｎｔｉ−Ｈｕｍａｎ  １４−３−３  ζ  Ｐｒｏｔｅｉｎ  Ｒａｂｂｉｔ  ＩｇＧ  Ａｆｆｉｎｉｔｙ  Ｐｕｒｉｆｙ（１８６４４，ＩＢＬ，Ｊａｐａｎ），Ａｎｔｉ−Ｈｕｍａｎ１４−３−３  η  Ｐｒｏｔｅｉｎ  Ｒａｂｂｉｔ  ＩｇＧ  Ａｆｆｉｎｉｔｙ  Ｐｕｒｉｆｙ，（１８６４５，ＩＢＬ，Ｊａｐａｎ），Ａｎｔｉ−Ｈｕｍａｎ  １４−３−３  σ  Ｐｒｏｔｅｉｎ（６９）Ｒａｂｂｉｔ  ＩｇＧ  Ａｆｆｉｎｉｔｙ  Ｐｕｒｉｆｙ（１８６４０，ＩＢＬ，Ｊａｐａｎ），Ａｎｔｉ−Ｈｕｍａｎ  １４−３−３  σ  Ｐｒｏｔｅｉｎ（Ｃ）Ｒａｂｂｉｔ  ＩｇＧ  Ａｆｆｉｎｉｔｙ  Ｐｕｒｉｆｙ（１８６４２，ＩＢＬ，Ｊａｐａｎ），Ａｎｔｉ−Ｈｕｍａｎ  １４−３−３  σ  Ｐｒｏｔｅｉｎ（Ｎ）Ｒａｂｂｉｔ  ＩｇＧ  Ａｆｆｉｎｉｔｙ  Ｐｕｒｉｆｙ（１８６４６．ＩＢＬ，Ｊａｐａｎ），Ａｎｔｉ−Ｈｕｍａｎ  １４−３−３  τ  Ｐｒｏｔｅｉｎ（３３Ａ）Ｍｏｕｓｅ  ＩｇＧ  ＭｏＡｂ（１００１７，ＩＢＬ，Ｊａｐａｎ）を用いて、それぞれのアイソフォーム同定を行った。この一連の作業を、インフルエンザ感染症、インフルエンザ脳症、非インフルエンザ感染の急性脳症の３群のみならず、小児神経疾患全般についても検討した。【００２３】  図１は、小児神経疾患の中で髄液中に１４−３−３タンパク質が検出された具体例を示す。この結果から、髄液中１４−３−３タンパク質は、インフルエンザ脳症（ＩＡＥ）、ミトコンドリア異常症（ＭＥＬＡＳ）、Ｈｅｍｉｃｏｎｖｕｌｓｉｏｎ−Ｈｅｍｉｐｌｅｇｉａ症候群（ＨＨ症候群）、ウイルス性および細菌性髄膜炎、脊髄小脳変性症、悪性リンパ腫で検出されることがわかった。【００２４】  図２は髄液中に１４−３−３タンパク質が検出された例の頭部ＭＲＩ写真を示す。ＨＨ症候群、インフルエンザ脳症、脊髄小脳変性症でそれぞれ障害されている脳部位を矢印で示した。これらの結果から、矢印で示された患者の脳障害部位が髄液中の１４−３−３タンパク質検出の責任病巣であることがわかった。また、これらの障害部位と１４−３−３タンパク質アイソフォームが関連することも推測できる。【００２５】  図３は、インフルエンザ感染症のみで脳症非発生例、インフルエンザ脳症例、非インフルエンザ感染症に伴う脳症例の臨床的特徴および髄液データである。この結果から、インフルエンザ脳症が小児で発生しやすいこと、一般に行われる髄液検査だけではインフルエンザ脳症かどうか区別できないこと、インフルエンザタイプＢでもインフルエンザ脳症を発症しうることが判明した。【００２６】  図３は、インフルエンザ感染症のみで脳症非発生例、インフルエンザ脳症例、非インフルエンザ感染症に伴う脳症例における髄液中１４−３−３タンパク質の検出を示すウエスタンブロットの結果であり、この結果から、髄液中１４−３−３タンパク質はインフルエンザ脳症に特異的に検出され、インフルエンザ脳症の診断に有用であることがわかった。【００２７】  図４は、インフルエンザ脳症例およびミトコンドリア病（ＭＥＬＡＳ）例における１４−３−３タンパク質のアイソフォームの同定に成功したウエスタンブロットの結果であり、この結果から、１４−３−３タンパク質の７つのアイソフォームの中でβ、γ、ζ、θ、εの５つがインフルエンザ脳症で陽性であることがわかる。またこの５つのアイソフォームの中でもインフルエンザ脳症ではβ、θ、γ、ζ、εの順に強く検出されることがわかる。一方、ミトコンドリア病（ＭＥＬＡＳ）ではβ、ζの２つが陽性であり、ほぼ同程度に検出されることがわかった。【００２８】  図６は、ミトコンドリア病（ＭＥＬＡＳ）患者における病期における頭部ＭＲＩ画像である。障害部位は矢印で示してある。この結果から、病期によって障害される脳部位が変化していることがわかる。【００２９】  図７は、ミトコンドリア病（ＭＥＬＡＳ）患者における臨床症状と髄液中１４−３−３タンパク質の検出変化を示したものである。ＭＲＩは図６で示されたものを病期に当てはめてある。この結果から、髄液中１４−３−３タンパク質は障害が進行するたびに髄液中で検出されること、中でも脳卒中発作時にもつとも強く検出されること、これらは頭部ＭＲＩで後頭葉と側頭葉が中心であること、これらは臨床上の急性期と一致して出現し安定すると消退することがわかった。【００３０】  図８は、Ｂａｘｔｅｒらによって報告されたマウスの脳における１４−３−３タンパク質の脳内分布を示す。これらより１４−３−３タンパク質のアイソフォームが脳の一部に限局して存在しており、髄液中に検出される１４−３−３タンパク質のアイソフォームと一致してすることが予想できる。【００３１】  図９は、髄液中１４−３−３タンパク質の検出メカニズムである。これによると、髄液中１４−３−３タンパク質が検出されるメカニズムには、急性期の脳破壊に付随して検出されるものと、慢性期のアポトーシス刺激に随伴して髄液中に放出されるものの、２種類があることがわかる。前者にはインフルエンザ脳症などが、後者には脊髄小脳変性症などが疾患として該当する。【００３１】  本研究成果の要点は、以下のとおりである。
１．１４−３−３タンパク質はインフルエンザ脳症の患者髄液で全例に検出され、インフルエンザ感染症の高熱に伴う熱性けいれん等の意識障害では１例も検出されなかった。このことは、髄液中１４−３−３タンパク質の検出が、インフルエンザ脳症の早期診断に有用であることを明確に示している。
２．１４−３−３タンパク質は同様にインフルエンザ感染症以外に伴う急性脳症でも検出されず、急性脳症の中でもインフルエンザ脳症を明確に診断するために有用であった。
３．インフルエンザ脳症患者群の髄液からは、１４−３−３アイソフォームとしてβ、γ、ζ、θ、εが検出され、ヒトの脳が広範囲に障害されていることが明らかになった。
４．５つのアイソフォームの中でもβ、θ、γ、ζ、εの順に強く検出されることは、インフルエンザ脳症で特異的なアイソフォーム出現パターンであると考えられる。
５．これら５つの１４−３−３アイソフォームの出現パターンの同定は、障害された脳部位の同定が可能になり、また髄液中に１４−３−３タンパクが検出されるメカニズムの解明に有用である。
６．ミトコンドリア病（ＭＥＬＡＳ）では、髄液中１４−３−３タンパク質は臨床上の疲状出現時期に一致して見られ、病態把握に有用であった。
７．インフルエンザ脳症患者群の髄液からは、１４−３−３アイソフォームとしてβ、ζが検出され、頭部ＭＲＩからはヒトの脳では側頭葉と後頭葉が障害されていることが明らかになった。
本発明により、髄液中１４−３−３タンパク質を早期に検出するキットが製造できる。すなわち１４−３−３タンパク質の抗原を検出するためのキットにより、発症早期に採取された髄液を反応させて、陽性例をインフルエンザ脳症と診断できる。
【産業上の利用可能性】
【００３２】  本発明の検査法を利用することによって、インフルエンザ脳症の検査用キットが製造できる。また、ヒト髄液中に発現する１４−３−３タンパク質からなるマーカ、ヒト髄液中に発現する１４−３−３タンパク質に特異的に結合する抗体を含むインフルエンザ脳症の診断薬、１４−３−３タンパク質に特異的に結合する一次抗体と、この一次抗体に特異的に結合し、かつ識別標識を有する二次抗体とを含み、前記識別標識の検出により前記１４−３−３タンパク質を検出するインフルエンザ脳症の診断キット、が製造できる。
【図面の簡単な説明】
【００３３】
【図１】小児神経疾患における髄液中１４−３−３タンパク質の検出結果を示す図である。
【図２】髄液中１４−３−３タンパク質が検出された症例の頭部ＭＲＩ画像であり、障害された脳部位を示す図である。
【図３】インフルエンザ感染症のみで脳症非発生例、インフルエンザ脳症例、非インフルエンザ感染症に伴う脳症例における髄液中１４−３−３タンパク検出例を示す図である。また年齢、インフルエンザ脳症のタイプ、髄液データ、予後を示す表も併記した。
【図４】インフルエンザ脳症例およびミトコンドリア病（ＭＥＬＡＳ）における１４−３−３アイソフォームの同定を示す図である。
【図５】１４−３−３タンパク質の７つのアイソフォームのアミノ酸配列を示す図である。相同性が高くまたリン酸化を受けるセリン、スレオニン残基は太線で強調した。
【図６】ミトコンドリア病（ＭＥＬＡＳ）患者における頭部ＭＲＩ画像であり、障害された脳部位を示す図である。
【図７】ミトコンドリア病（ＭＥＬＡＳ）患者における臨床経過と髄液中１４−３−３タンパク質の検出状況を示す図である。図６で示した頭部ＭＲＩ撮影時期も併記してある。
【図８】報告されている１４−３−３タンパク質のアイソフォームの脳内分布図（マウス）を示す。
【図９】髄液中１４−３−３タンパク質が検出されるメカニズムを示す。
【図１】
2005292108.tif 000003
【図２】
2005292108.tif 000004
【図３】
2005292108.tif 000005
【図４】
2005292108.tif 000006
【図５】
2005292108.tif 000007
【図６】
2005292108.tif 000008
【図７】
2005292108.tif 000009
【図８】
2005292108.tif 000010
【図９】
2005292108.tif 000011